(57)【要約】  過去に送信したメールデータに対する返信メールデータに対して返信する場合に、過去にメールデータを送信した際のＢＣＣ宛先を入力する手間を省く。このため、通信装置は、送信部と、ＢＣＣ宛先記憶部と、受信部と、判定部と、受付部と、メール生成部とを備える。ＢＣＣ宛先記憶部は、過去に送信したメールのＢＣＣ宛先を、当該メールに関連付けて記憶する。判定部は、受信部が受信したメールが、送信部が過去に送信したＢＣＣ宛先を含むメールに対する返信メールであるか否かを判定する。メール生成部は、過去に送信したＢＣＣ宛先を含むメールに対する返信メールであると判定部が判定したメールについて、受付部が受け付けた送信宛先に加えて、ＢＣＣ宛先記憶部に返信元のメールに関連付けて記憶されているＢＣＣ宛先を加えた送信宛先を送信先とするメールを生成する。
2015198924.tif 000002
【特許請求の範囲】
【請求項１】
メールを送信する送信部と、
前記送信部が過去に送信したメールのＢＣＣ宛先を、当該メールに関連付けて記憶するＢＣＣ宛先記憶部と、
メールを受信する受信部と、
前記受信部が受信したメールが、前記送信部が過去に送信したＢＣＣ宛先を含むメールに対する返信メールであるか否かを判定する判定部と、
メールの送受信に関する指示を受け付ける受付部と、
前記受信部が受信したメールのうち、前記送信部が過去に送信したＢＣＣ宛先を含むメールに対する返信メールであると前記判定部が判定したメールについて、前記受付部が返信指示を受け付けた場合に、前記受付部が受け付けた送信宛先に加えて、前記ＢＣＣ宛先記憶部に前記返信メールの返信元のメールに関連付けて記憶されているＢＣＣ宛先を加えた送信宛先を送信先とするメールを生成するメール生成部と、を備える
通信装置。
【請求項２】
前記ＢＣＣ宛先記憶部は、前記送信部が過去に送信したメールのＢＣＣ宛先を、当該メールを特定する特定情報とともに記憶し、
前記判定部は、前記ＢＣＣ宛先記憶部に記憶されている前記特定情報に基づき、前記受信部が受信したメールが前記送信部が過去に送信したＢＣＣ宛先を含むメールに対する返信メールであるか否かを判定する、
請求項１に記載の通信装置。
【請求項３】
前記ＢＣＣ宛先記憶部は、前記送信部が過去に送信したＢＣＣ宛先を含むメールに付与されたMessage-id情報を前記特定情報として記憶し、
前記判定部は、前記ＢＣＣ宛先記憶部に記憶されているMessage-id情報と、前記受信部が受信したメールのヘッダ情報に含まれるIn-Reply-To情報とを比較して、前記Message-id情報と前記In-Reply-To情報とが一致する場合に、前記受信部が受信したメールが前記送信部が過去に送信したＢＣＣ宛先を含むメールに対する返信メールであると判定する、
請求項２に記載の通信装置。
【請求項４】
前記ＢＣＣ宛先記憶部は、前記送信部が過去に送信したＢＣＣ宛先を含むメールのメール本文を前記特定情報として記憶し、
前記判定部は、前記受信部が受信したメールのメール本文と、前記ＢＣＣ宛先記憶部に記憶されているメール本文とを比較して、前記受信部が受信したメールのメール本文に前記ＢＣＣ宛先記憶部に記憶されているメール本文が含まれている場合に、前記受信部が受信したメールが前記送信部が過去に送信したＢＣＣ宛先を含むメールに対する返信メールであると判定する、
請求項２に記載の通信装置。
【請求項５】
表示部と、当該表示部による表示動作を制御する表示制御部を更に備え、
前記表示制御部は、前記受信部が受信したメールのうち、前記送信部が過去に送信したＢＣＣ宛先を含むメールに対する返信メールであると前記判定部が判定したメールについて、前記受付部が返信指示を受け付けた場合に、前記表示部に、ＢＣＣ宛先を受け付けるためのＢＣＣ宛先入力欄に前記ＢＣＣ宛先記憶部に前記返信メールの返信元のメールに関連付けて記憶されているＢＣＣ宛先を表示させる、
請求項１に記載の通信装置。
【発明の詳細な説明】
【技術分野】
【０００１】
本発明は、メールデータをメールサーバーに送信する通信装置に関し、特にＢＣＣ（Blind Carbon Copy）宛先を含む送信宛先を送信先とするメールデータを送信する技術に関する。
【背景技術】
【０００２】
受信したメールデータを表示するメールデータ表示画面には、一般に、「返信ボタン」に加えて、「全員に返信ボタン」が設けられている。ユーザーが「全員に返信ボタン」を選択すると、受信したメールデータに含まれるＴＯ宛先がＴＯ宛先入力欄に予め入力され、ＣＣ宛先がＣＣ宛先入力欄に予め入力された返信メールデータ作成画面に遷移する。返信メールデータ作成画面においてＴＯ宛先およびＣＣ宛先が予め入力されているため、ユーザーのメールアドレスを入力する手間を省くことができる。
【先行技術文献】
【特許文献】
【０００３】
【特許文献１】特開２００１−３２５１８７号公報
【発明の概要】
【発明が解決しようとする課題】
【０００４】
受信したメールデータが過去に送信したメールデータに対する返信メールデータである場合に、当該受信したメールデータに対する返信メールデータを過去にメールデータを送信した際のＢＣＣ宛先に送信したい場合がある。上記の「返信ボタン」や「全員に返信ボタン」を選択した場合であっても、ＴＯ宛先やＣＣ宛先と異なりＢＣＣ宛先の入力は補完されないため、ユーザーはそのＢＣＣ宛先を入力する必要があり煩わしい。【０００５】
本発明は上記の事情に鑑みなされたものであり、過去に送信したメールデータに対する返信メールデータに対して返信する場合に、過去にメールデータを送信した際のＢＣＣ宛先を入力する手間を省くことを可能とすることを目的とする。
【課題を解決するための手段】
【０００６】
本発明の一局面にかかる通信装置は、メールを送信する送信部と、前記送信部が過去に送信したメールのＢＣＣ宛先を、当該メールに関連付けて記憶するＢＣＣ宛先記憶部と、メールを受信する受信部と、前記受信部が受信したメールが、前記送信部が過去に送信したＢＣＣ宛先を含むメールに対する返信メールであるか否かを判定する判定部と、メールの送受信に関する指示を受け付ける受付部と、前記受信部が受信したメールのうち、前記送信部が過去に送信したＢＣＣ宛先を含むメールに対する返信メールであると前記判定部が判定したメールについて、前記受付部が返信指示を受け付けた場合に、前記受付部が受け付けた送信宛先に加えて、前記ＢＣＣ宛先記憶部に前記返信メールの返信元のメールに関連付けて記憶されているＢＣＣ宛先を加えた送信宛先を送信先とするメールを生成するメール生成部と、を備える通信装置である。
【発明の効果】
【０００７】
本発明によれば、過去に送信したメールデータに対する返信メールデータに対して返信する場合に、過去にメールデータを送信した際のＢＣＣ宛先を入力する手間を省くことができる。
【図面の簡単な説明】
【０００８】
【図１】本発明の一実施形態にかかるメール送受信システムの概念図である。
【図２】本発明の一実施形態にかかるメールクライアントの構成を示すブロック図である。
【図３】本発明の一実施形態にかかるメールクライアントの表示部に表示されるメールデータ生成画面の一例を示す図である。
【図４】本発明の一実施形態にかかるメールクライアントのメールデータ生成部により生成されるメールデータの一例を示す図である。
【図５】本発明の一実施形態にかかるメールクライアントの記憶部に記憶されるＢＣＣ宛先の一例を示す図である。
【図６】本発明の一実施形態にかかるメールクライアントの表示部に表示されるメールデータ表示画面の一例を示す図である。
【図７】本発明の一実施形態にかかるメールクライアントのメールデータ生成部により生成される返信メールデータの一例を示す図である。
【図８Ａ】本発明の一実施形態にかかるメールクライアントの表示部に表示されるメールデータ表示画面の一例を示す図である。
【図８Ｂ】本発明の一実施形態にかかるメールクライアントの表示部に表示される返信メールデータ作成画面の一例を示す図である。
【図９】本発明の一実施形態にかかるメールクライアントのメールデータ返信処理の流れを示すフローチャートである。
【発明を実施するための形態】
【０００９】
以下、本発明の一実施形態にかかる通信装置および通信制御プログラムについて図面を参照して説明する。図１は、本発明の一実施形態にかかるメール送受信システムの概念図である。メール送受信システムは、インターネットを介して互いに接続されたメールクライアント（通信装置）およびメールサーバーからなる。
【００１０】
メールクライアント１Ａおよびメールクライアント１Ｂ（以下、まとめて「メールクライアント１」と呼ぶ場合がある）は、スマートフォン等の携帯端末やＰＣ（Personal Computer）である。メールクライアント１は、携帯電話会社の通信網や公衆無線ＬＡＮ（Local Area Network）等を介してインターネットに接続することで、メールサーバー２Ａとデータ通信が可能となる。メールクライアント１は、メール作成者のユーザー操作に応じたメールデータを生成し、当該生成したメールデータをＳＭＴＰ（Simple Mail TransferProtocol）を用いてメールサーバー２Ａに送信する。
【００１１】
メールサーバー２Ａは、メールクライアント１から送信されたメールデータに基づき、他のメールサーバー２Ｂまたはメールサーバー２Ｃにメールデータを配送する。
【００１２】
メールクライアント３やメールクライアント４は、メールサーバー２Ｂまたはメールサーバー２Ｃと通信して、メールデータが配送されている場合にメールデータをダウンロードする。
【００１３】
図２は、メールクライアント１の構成を示すブロック図である。メールクライアント１は、通信部１１、表示部１２、操作部１３、および記憶部１４を備える。
【００１４】
通信部１１は、ＬＡＮチップ等の通信モジュールを備え、後述する通信制御部５４による制御の下、メールサーバー２Ａとの間でデータの送受信を行う。
【００１５】
表示部１２は、液晶ディスプレイ（ＬＣＤ：Liquid Crystal Display）や有機ＥＬ（ＯＬＥＤ：Organic Light-Emitting Diode）ディスプレイを含んで構成される。表示部１２は後述する表示制御部５６による制御の下、メールデータ生成画面やメールデータ表示画面等の画面を表示する。
【００１６】
操作部１３は、キーボード等の入力装置やマウス等のポインティングデバイスを含んで構成される。操作部１３は、表示部１２に表示される画面に対するユーザー操作をメール作成者から受け付ける。
【００１７】
記憶部１４は、ＨＤＤ（Hard Disk Drive）等の大容量の記憶装置である。記憶部１４は、通信部１１が過去に送信したメールデータのＢＣＣ宛先を、当該メールデータに関連付けて記憶するＢＣＣ宛先記憶部としての役割を果たす。
【００１８】
メールクライアント１は、更に、制御ユニット５０を備えている。制御ユニット５０は、ＣＰＵ(Central Processing Unit)、ＲＡＭ（Random Access Memory）、及びＲＯＭ（Read Only Memory）等から構成される。制御ユニット５０は、上記のＲＯＭ又は記憶部１４に記憶された通信制御プログラムが上記のＣＰＵに実行されることにより、制御部５１、受付部５２、メールデータ生成部５３、通信制御部５４、メールデータ解析部５５、表示制御部５６、および判定部５７として機能する。なお、制御ユニット５０の制御部５１、受付部５２、メールデータ生成部５３、通信制御部５４、メールデータ解析部５５、表示制御部５６、および判定部５７は、前述の通信制御プログラムに基づく動作によらず、それぞれハード回路により構成されてもよい。
【００１９】
制御部５１は、メールクライアント１の全体的な動作制御を司る。制御部５１は、通信部１１、表示部１２、操作部１３、および記憶部１４等と接続されており、接続されている上記各構成の動作制御や各構成との間での信号又はデータの送受信を行う。
【００２０】
受付部５２は、メール作成者の操作部１３を用いたユーザー操作に基づき、通信部１１が受信したメールデータの返信指示、メール本文の入力指示、送信宛先としてのメールアドレスの入力指示、および送信宛先の種別の選択指示等の指示を受け付ける機能を有する。
【００２１】
メールデータ生成部５３は、受付部５２が受け付けた上記指示に基づいてメールデータを生成する機能を有する。メールデータ生成部５３が生成するメールデータの詳細な内容は後述する。
【００２２】
通信制御部５４は、通信部１１によるデータの通信動作を制御し、通信部１１とともにメールデータを送信する送信部とメールデータを受信する受信部として機能する。具体的には、通信制御部５４は、メールデータ生成部５３が生成したメールデータを通信部１１にメールサーバー２Ａへ送信させる。また、通信制御部５４は、受付部５２がメール受信確認指示を受け付けたタイミングや予め定められた時間が経過したタイミングで、通信部１１を介してメールサーバー２Ａと通信して、メールデータが配送されているか否かの確認を行う。メールデータが配送されている場合、通信制御部５４は、通信部１１にメールサーバー２Ａからメールデータをダウンロード（受信）させる。
【００２３】
メールデータ解析部５５は、通信制御部５４が通信部１１を介して受信したメールデータに含まれるヘッダ情報等を解析する機能を有する。
【００２４】
表示制御部５６は、表示部１２による表示動作を制御する機能を有する。
【００２５】
判定部５７は、通信部１１が受信したメールデータが、通信部１１が過去に送信したＢＣＣ宛先を含むメールデータに対する返信メールデータであるか否かを判定する。
【００２６】
続いてメールデータ返信処理の具体的な内容について説明する。図３は、表示部１２に表示されるメールデータ生成画面Ｄ１の一例を示す図である。メールデータ生成画面Ｄ１には、ＴＯ宛先の入力指示を受け付けるためのＴＯ宛先入力欄ｄ１、ＣＣ宛先の入力指示を受け付けるためのＣＣ宛先入力欄ｄ２、ＢＣＣ宛先の入力指示を受け付けるためのＢＣＣ宛先入力欄ｄ３、件名の入力指示を受け付けるための件名入力欄ｄ４、およびメール本文の入力指示を受け付けるためのメール本文入力欄ｄ５が設けられている。また、メールデータ生成画面Ｄ１には、送信ボタンｄ６が設けられている。受付部５２が送信ボタンｄ６の選択を受け付けると、メールデータ生成部５３は、上記の各入力欄に入力された情報に応じたメールデータを生成する。その後、通信制御部５４は、メールデータ生成部５３が生成したメールデータを通信部１１にメールサーバー２Ａへ送信させる。
【００２７】
図４は、メールデータ生成部５３により生成されるメールデータＭ１の一例を示す図である。
【００２８】
メールデータＭ１は、エンベロープ情報Ｆ１、ヘッダ情報Ｆ２、およびメール本文情報Ｆ３から構成される。エンベロープ情報Ｆ１は、メールデータの送信元の宛先を示すＭＡＩＬ ＦＲＯＭ情報と、メールデータの送信先の宛先の情報を示すＲＥＣＰＴ ＴＯ情報を含む。メールデータ生成部５３は、メール作成者のメールアドレスをＭＡＩＬ ＦＲＯＭ情報とし、ＴＯ宛先入力欄ｄ１、ＣＣ宛先入力欄ｄ２、およびＢＣＣ宛先入力欄ｄ３に入力された全てのメールアドレスをＲＥＣＰＴ ＴＯ情報としたエンベロープ情報Ｆ１を生成する。
【００２９】
ヘッダ情報Ｆ２は、メールデータの送信時刻を示すＤａｔａ情報と、メールデータの送信元の宛先を示すＦｒｏｍ情報と、ＴＯ宛先を示すＴｏ情報と、ＣＣ宛先を示すＣＣ情報と、件名を示すＳｕｂｊｅｃｔ情報と、Ｍｅｓｓａｇｅ−ｉｄ情報等を含む。Ｍｅｓｓａｇｅ−ｉｄ情報は、メールデータ毎の固有の識別子である。メールデータ生成部５３は、例えば、メールデータの生成日時、プロセス番号、ドメイン名等を組み合わせて、Ｍｅｓｓａｇｅ−ｉｄ情報を生成する。
【００３０】
メールデータ生成部５３は、ＴＯ宛先入力欄ｄ１に入力された宛先をＴｏ情報とし、ＣＣ宛先入力欄ｄ２に入力された宛先をＣＣ情報とし、件名入力欄ｄ４に入力された内容をＳｕｂｊｅｃｔ情報としたヘッダ情報Ｆ２を生成する。なお、メールデータ生成部５３は、ＢＣＣ情報入力欄ｄ３に入力された宛先をヘッダ情報Ｆ２に含めない。
【００３１】
通信制御部５４は、上記のように生成したメールデータＭ１を通信部１１にメールサーバー２Ａへ送信させる。この際、制御部５１は、メールデータＭ１に含まれるＢＣＣ宛先を当該メールデータＭ１に関連付けて記憶部１４に記憶させる。図５は記憶部１４に記憶されるＢＣＣ宛先の一例を示す図である。図５に示す例では、メールデータＭ１を特定する情報としてＭｅｓｓａｇｅ−ｉｄ情報がＢＣＣ宛先とともに記憶されている。
【００３２】
メールデータＭ１は、メールサーバー２Ａおよびメールサーバー２Ｂ等を経由して、エンベロープ情報Ｆ１に示される送信先であるメールクライアントに送信される。メールデータＭ１は、送信先のメールクライアントのメールデータ解析部５５により解析される。表示制御部５６は、メールデータ解析部５５の解析結果に基づいて、表示部１２に表示させる表示画面の内容を決定する。
【００３３】
図６は、表示部１２に表示されるメールデータ表示画面Ｄ２の一例を示す図である。メールデータ表示画面Ｄ２には、送信者表示欄ｄ１１、ＴＯ宛先表示欄ｄ１２、ＣＣ宛先表示欄ｄ１３、件名表示欄ｄ１４、およびメール本文表示欄ｄ１５が設けられている。表示制御部５６は、表示部１２に、ヘッダ情報Ｆ２のＦｒｏｍ情報に示される宛先を送信者表示欄ｄ１１に表示させ、Ｔｏ情報に示される宛先をＴＯ宛先表示欄ｄ１２に表示させ、ＣＣ情報に示される宛先をＣＣ宛先表示欄ｄ１３に表示させ、Ｓｕｂｊｅｃｔ情報に示される内容を件名表示欄ｄ１４に表示させ、メール本文情報Ｆ３に示される内容をメール本文表示欄ｄ１５に表示させる。メールデータ表示画面Ｄ２には、返信ボタンｄ１６および全員に返信ボタンｄ１７が設けられている。
【００３４】
受付部５２が返信ボタンｄ１６または全員に返信ボタンｄ１７の選択を受け付けると、表示制御部５６は返信メールデータ作成画面を表示部１２に表示させる。メールデータ生成部５３は、当該返信メールデータ作成画面において入力された各情報に応じて返信メールデータを生成する。図７は、メールデータ生成部５３により生成される返信メールデータＭ２の一例を示す図である。返信メールデータＭ２のヘッダ情報Ｆ２には、ｉｎ−ｒｅｐｌｙ−Ｔｏ情報が含まれる。ｉｎ−ｒｅｐｌｙ−Ｔｏ情報は、返信元のメールデータを特定するための情報である。図７に示す例では、返信元のメールデータＭ１のＭｅｓｓａｇｅ−ｉｄ情報に示される識別子がｉｎ−ｒｅｐｌｙ−Ｔｏ情報として返信メールデータＭ２のヘッダ情報Ｆ２に含まれている。
【００３５】
メールクライアント１が返信メールデータＭ２を受信すると、メールデータ解析部５５によりメールデータＭ２が解析される。表示制御部５６は、メールデータ解析部５５の解析結果に基づいて、表示部１２に表示させる表示画面の内容を決定する。図８Ａは、表示部１２に表示されるメールデータ表示画面Ｄ２の一例を示す図である。当該メールデータ表示画面Ｄ２において、受付部５２が全員に返信ボタンｄ１７の選択を受け付けると、表示制御部５６は返信メールデータ作成画面を表示部１２に表示させる。図８Ｂは、表示部１２に表示される返信メールデータ作成画面Ｄ３の一例を示す図である。当該返信メールデータ作成画面Ｄ３において、表示制御部５６は、表示部１２に、受信したメールデータＭ２のヘッダ情報に含まれるＴＯ宛先をＴＯ宛先入力欄ｄ１に予め入力させ、受信したメールデータＭ２のヘッダ情報に含まれるＣＣ宛先をＣＣ宛先入力欄ｄ２に予め入力させる。
【００３６】
また、判定部５７は、受信したメールデータＭ２が通信部１１が過去に送信したＢＣＣ宛先を含むメールデータに対する返信メールデータであるか否かを判定する。具体的には、判定部５７は、記憶部１４に記憶されているＭｅｓｓａｇｅ−ｉｄ情報と、通信部１１が受信したメールデータＭ２のヘッダ情報Ｆ２に含まれるｉｎ−ｒｅｐｌｙ−Ｔｏ情報とを比較する。そして、判定部５７は、Ｍｅｓｓａｇｅ−ｉｄ情報とｉｎ−ｒｅｐｌｙ−Ｔｏ情報とが一致する場合に、受信したメールデータＭ２が通信部１１が過去に送信したＢＣＣ宛先を含むメールデータに対する返信メールであると判定する。
【００３７】
なお、受信したメールデータにｉｎ−ｒｅｐｌｙ−Ｔｏ情報が含まれない場合がある。このため、制御部５１が、記憶部１４に予めメールデータを特定する情報としてメールデータに含まれるメール本文をＢＣＣ宛先とともに記憶させておく。そして、判定部５７が、受信したメールデータのメール本文と、記憶部１４に記憶されているメール本文とを比較して、受信したメールデータのメール本文に記憶部１４に記憶されているメール本文が含まれている場合に、受信したメールデータが通信部１１が過去に送信したＢＣＣ宛先を含むメールデータに対する返信メールであると判定するとしてもよい。
【００３８】
判定部５７により受信したメールデータＭ２が通信部１１が過去に送信したＢＣＣ宛先を含むメールデータに対する返信メールであると判定された場合、表示制御部５６は、表示部１２に記憶部１４に記憶されるＢＣＣ宛先をＢＣＣ宛先入力欄ｄ３に予め入力させる。図５および図７に示す例では、記憶部１４に記憶されている複数のＭｅｓｓａｇｅ−ｉｄ情報のなかに、メールデータＭ２のヘッダ情報Ｆ２に含まれるｉｎ−ｒｅｐｌｙ−Ｔｏ情報と一致するＭｅｓｓａｇｅ−ｉｄ情報が存在する。このため、図８Ｂに示すように、表示制御部５６は、表示部１２に、当該一致するＭｅｓｓａｇｅ−ｉｄ情報に関連付けられて記憶部１４に記憶されているＢＣＣ宛先をＢＣＣ宛先入力欄ｄ３に入力させている。
【００３９】
メールデータ生成部５３は、上記のように表示制御部５６によりメールデータ表示画面Ｄ２の入力欄に補完入力された情報、および、操作部１３を用いたユーザー操作に基づき入力された情報に基づき、返信メールデータを作成する。すなわち、メールデータ生成部５３は、通信部１１が過去に送信したＢＣＣ宛先を含むメールデータに対する返信メールであると判定部５７が判定したメールデータについて、受付部５２が返信指示を受け付けた場合に、受付部５２が受け付けた送信宛先に加えて、記憶部１４に返信メールデータの返信元のメールデータに関連付けて記憶されているＢＣＣ宛先を加えた送信宛先を送信先とするメールデータを生成する。従って、ユーザーは、過去に送信したメールデータに対する返信メールデータに対して返信する場合に、過去にメールデータを送信した際のＢＣＣ宛先を入力する必要がなく、その手間を省くことができる。
【００４０】
次に、上記構成を備えるメールクライアント１の動作の流れについて説明する。図９は、メールクライアント１のメールデータ返信処理の流れを示すフローチャートである。
【００４１】
メールクライアント１の通信制御部５４は、通信部１１がメールサーバー２Ａからメールデータを受信したか否かを判定する（ステップＳ１１）。通信制御部５４は、受付部５２がメール受信確認指示を受け付けたタイミングや予め定められた時間が経過したタイミングで、通信部１１を介してメールサーバー２Ａと通信して、メールデータが配送されているか否かの確認を行う。メールデータが配送されている場合、通信制御部５４は、通信部１１にメールサーバー２Ａからメールデータを受信させる。
【００４２】
メールデータを受信した場合（ステップＳ１１おいてＹＥＳ）、表示制御部５６は、表示部１２に、メールデータ表示画面Ｄ２を表示させる（ステップＳ１２）。
【００４３】
その後、受付部５２は、返信指示を受け付けたか否かを判定する（ステップＳ１３）。
【００４４】
返信指示を受け付けた場合（ステップＳ１３においてＹＥＳ）、判定部５７は、受信したメールデータが過去に送信したＢＣＣ宛先を含むメールデータに対する返信メールデータであるか否かを判定する（ステップＳ１４）。
【００４５】
受信したメールデータが過去に送信したＢＣＣ宛先を含むメールデータに対する返信メールデータである場合（ステップＳ１４においてＹＥＳ）、表示制御部５６は、表示部１２に、ＢＣＣ宛先を補完表示させた返信メールデータ作成画面Ｄ３を表示させる（ステップＳ１５）。 
【００４６】
一方、受信したメールデータが過去に送信したＢＣＣ宛先を含むメールデータに対する返信メールデータでない場合（ステップＳ１４においてＮＯ）、表示制御部５６は、表示部１２に、ＢＣＣ宛先を補完表示させずに返信メールデータ作成画面Ｄ３を表示させる（ステップＳ１６）。
【００４７】
ステップＳ１５またはステップＳ１６の処理後、受付部５２は、送信指示を受け付けたか否かを判定する（ステップＳ１７）。
【００４８】
送信指示を受け付けた場合（ステップＳ１７においてＹＥＳ）、メールデータ生成部５３は、返信メールデータ作成画面Ｄ３において入力された各情報に応じて返信メールデータを生成する（ステップＳ１８）。具体的には、メールデータ生成部５３は、受付部５２が受け付けた送信宛先に加えて、記憶部１４に返信メールデータの返信元のメールデータに関連付けて記憶されているＢＣＣ宛先を加えた送信宛先を送信先とするメールデータを生成する。
【００４９】
メールデータの生成後、通信制御部５４は、通信部１１に生成したメールデータをメールサーバー２Ａに送信させる（ステップＳ１９）。
【００５０】
なお、本発明は、上記の実施の形態の構成に限られず種々の変形が可能である。
【００５１】
上記実施の形態で説明した通信制御プログラムをコンピューター読み取り可能な非一時的な記録媒体、例えば、ハードディスク、ＣＤ−ＲＯＭ、ＤＶＤ−ＲＯＭ、半導体メモリーなどに記録されたものとしてもよい。この場合、当該通信制御プログラムを記録したコンピューター読み取り可能な非一時的な記録媒体が、本発明の一実施形態となる。
【図１】
2015198924.tif 000003
【図２】
2015198924.tif 000004
【図３】
2015198924.tif 000005
【図４】
2015198924.tif 000006
【図５】
2015198924.tif 000007
【図６】
2015198924.tif 000008
【図７】
2015198924.tif 000009
【図８Ａ】
2015198924.tif 000010
【図８Ｂ】
2015198924.tif 000011
【図９】
2015198924.tif 000012
【国際調査報告】
2015198924.tif 000013
2015198924.tif 000014